(57)【特許請求の範囲】
【請求項１】
円筒状でなり中心軸を中心に回転するドラムと、
予め巻き付けられた内リールから引き出され、上記ドラムの上記中心軸に沿った軸方向に関し１以上の箇所において上記ドラムの周側面に巻き付けられる１以上の内テープと、
予め巻き付けられた外リールから引き出され、上記内テープとの間に紙葉状の媒体を挟んで当該内テープ及び当該媒体と共に上記ドラムの周側面に巻き付けられる１以上の外テープと、
上記内テープ又は上記外テープのうち少なくとも１つにおける上記内リール側又は上記外リール側の端部である終端部に形成され、他の領域と物理的特性が相違する相違領域と、
上記終端部に上記相違領域が形成された上記内テープ又は上記外テープである相違テープのうち上記ドラムと上記内リール又は上記外リールとの間にあるテープ位置において上記物理的特性を検出する検出部と、
上記検出部による検出結果に基づき上記ドラムの回転を制御する制御部と
を具え、
上記終端部に上記相違領域が形成されていない上記内テープ又は上記外テープである通常テープは、
長手方向の長さが上記相違テープよりも追加長だけ延長されている
ことを特徴とする媒体処理装置。
【請求項２】
上記追加長は、
上記通常テープに障害が生じた部分を切り詰める際の切詰長よりも長い
ことを特徴とする請求項１に記載の媒体処理装置。
【請求項３】
上記追加長は、
上記ドラムの周側面に巻き付けた上記媒体が上記軸方向に関し厚みが偏ることにより、上記複数の内テープ同士及び上記複数の外テープ同士で互いの巻付長に生じる差分である巻付差長よりも長い
ことを特徴とする請求項１に記載の媒体処理装置。
【請求項４】
上記追加長は、
上記通常テープに障害が生じた部分を切り詰める際の切詰長又は上記巻付差長のうち長い方よりも長い
ことを特徴とする請求項３に記載の媒体処理装置。
【請求項５】
上記相違テープは、
所定の検出光を透過する透過材料で構成され、
上記相違領域は、
上記検出光を遮蔽し、
上記検出部は、
上記テープ位置において上記相違テープが上記検出光を透過する割合を検出する
ことを特徴とする請求項１に記載の媒体処理装置。
【発明の詳細な説明】
【技術分野】
【０００１】
本発明は、媒体処理装置に関し、例えば紙幣等の媒体を投入して所望の取引を行う現金自動預払機（ＡＴＭ）等に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになされている。
【０００３】
現金自動預払機としては、例えば顧客との間で紙幣の授受を行う紙幣入出金口と、投入された紙幣の金種及び真偽を鑑別する鑑別部と、投入された紙幣を一時的に保留する一時保留部と、金種ごとに紙幣を格納する金種カセットとを有するものが提案されている。
【０００４】
この現金自動預払機は、入金取引において、顧客が紙幣入出金口に紙幣を投入すると、投入された紙幣を鑑別部で鑑別し、正常紙幣と鑑別された紙幣を一時保留部で保留する一方、取引すべきでないと鑑別された紙幣を紙幣入出金口へ戻して顧客に返却する。続いて現金自動預払機は、顧客により入金金額が確定されると、一時保留部に保留した紙幣の金種を鑑別部により再鑑別し、鑑別された金種に応じて各金種カセットへ収納する。
【０００５】
一時保留部としては、例えば回転する円筒状のドラム及び２本の長いテープを有し、各テープの一端をドラムの周側面に重ねるように固定したものが提案されている（例えば、特許文献１参照）。
【０００６】
例えば従来の一時保留部３１５は、図１３に示すように、円筒状のドラム２３と、１系統のテープ走行系３２７とにより構成されている。テープ走行系３２７は、透明な樹脂材料により構成された外テープ３３０及び内テープ３４０、並びにこれらをそれぞれ巻回した外リール３１及び内リール４１等とを有している。この外テープ３３０及び内テープ３４０は、終端部が外リール３１及び内リール４１にそれぞれ固定され、始端部がいずれもドラム２３の周側面に互いに重なるように固定されている。
【０００７】
このため一時保留部３１５では、巻取動作として、外テープ３３０及び内テープ３４０の間に紙幣ＢＬを挟んだ状態でドラム２３を巻取方向Ｒ１へ回転させることにより、紙幣ＢＬを外テープ３３０及び内テープ３４０と共にドラム２３の周側面に巻き付けることができる。また一時保留部３１５では、巻戻動作として、外リール３１及び内リール４１に外テープ３３０及び内テープ３４０をそれぞれ巻き取りながらドラム２３を巻戻方向Ｒ２へ回転させることにより、紙幣ＢＬを順次排出することができる。
【０００８】
また図１４に示すように、外テープ３３０の始端側（ドラム側）と内テープ３４０の終端側（リール側）には、光を遮断する遮光領域ＳＡがそれぞれ形成されている。一時保留部３１５は、検出光を照射すると共に受光するテープセンサ３５及びテープセンサ４５により、透明部分に対応する「明」レベル又は遮光領域ＳＡに対応する「暗」レベルの受光信号を生成する。
【０００９】
一時保留部３１５の制御部２１は、テープの巻取動作や巻戻動作の際に、受光信号の検出結果を基に終端部又は始端部に到達したことを検出して当該ドラム２３等の回転を停止させる。これにより一時保留部３１５は、外テープ３３０及び内テープ３４０をドラム２３又は外リール３１若しくは内リール４１に完全に巻き取ったときに過大な張力が加わることにより生じる損傷を、未然に防止することができる。
【先行技術文献】
【特許文献】
【００１０】
【特許文献１】特開２０１０−６４９４公報（第１図、第２図）
【発明の概要】
【発明が解決しようとする課題】
【００１１】
ところで一時保留部３１５では、折り癖や皺等を有する紙幣ＢＬが搬送時や巻取時に周囲の部品と干渉して詰まり等を生じ、これに起因して各テープが絡まり、或いは切断されてしまうことが生じ得る。また、保守作業中に保守作業者が誤ってテープを切断してしまう可能性も考えられる。
【００１２】
このとき一時保留部３１５では、本来であれば新たなテープと交換されるが、新たなテープの入手に時間を要する場合等に、応急措置として、テープの絡まった箇所が切り落とされる等して残りの部分が互いに接合されることにより、当該テープが切り詰められることがある。
【００１３】
ここで、一時保留部３１５において、終端部に遮光領域ＳＡが形成されていない外テープ３３０が切り詰められた状態を想定する。この一時保留部３１５では、巻取動作が行われた際、テープセンサ４５により内テープ３４０の遮光領域ＳＡを検出する前に、外テープ３３０が終端部に到達してしまうため、動作不良を誘発し、或いは外テープ３３０に過大な張力が加えられて切断等される恐れがあり、正常に稼働できなくなってしまう、という問題があった。
【００１４】
本発明は以上の点を考慮してなされたもので、安定的に稼働することができる媒体処理装置を提案しようとするものである。
【課題を解決するための手段】
【００１５】
かかる課題を解決するため本発明の媒体処理装置においては、円筒状でなり中心軸を中心に回転するドラムと、予め巻き付けられた内リールから引き出され、ドラムの中心軸に沿った軸方向に関し１以上の箇所においてドラムの周側面に巻き付けられる１以上の内テープと、予め巻き付けられた外リールから引き出され、内テープとの間に紙葉状の媒体を挟んで当該内テープ及び当該媒体と共にドラムの周側面に巻き付けられる１以上の外テープと、内テープ又は外テープのうち少なくとも１つにおける内リール側又は外リール側の端部である終端部に形成され、他の領域と物理的特性が相違する相違領域と、終端部に相違領域が形成された内テープ又は外テープである相違テープのうちドラムと内リール又は外リールとの間にあるテープ位置において物理的特性を検出する検出部と、検出部による検出結果に基づきドラムの回転を制御する制御部とを設け、終端部に相違領域が形成されていない内テープ又は外テープである通常テープは、長手方向の長さが相違テープよりも追加長だけ延長されているようにした。
【００１６】
これにより、通常テープが切り詰められたとしても、相違テープと同等以上の長さを維持することができるため、巻取動作中に検出部によって相違テープの相違領域を検出する前に通常テープが終端に到達することを回避でき、いずれのテープについても過大な張力が加えられることを防止できる。
【発明の効果】
【００１７】
本発明によれば、通常テープが切り詰められたとしても、相違テープと同等以上の長さを維持することができるため、巻取動作中に検出部によって相違テープの相違領域を検出する前に通常テープが終端に到達することを回避でき、いずれのテープについても過大な張力が加えられることを防止できる。かくして本発明は、安定的に稼働することができる媒体処理装置を実現できる。
【図面の簡単な説明】
【００１８】
【図１】現金自動預払機の構成を示す略線的斜視図である。
【図２】紙幣入出金機の構成を示す略線的側面図である。
【図３】第１の実施の形態による一時保留部の構成を示す略線図である。
【図４】第１の実施の形態によるテープの構成を示す略線的側面図である。
【図５】巻取処理手順を示すフローチャートである。
【図６】巻戻処理手順を示すフローチャートである。
【図７】第１の実施の形態においてテープを切り詰めた状態を示す略線図である。
【図８】第２の実施の形態による一時保留部の構成を示す略線図である。
【図９】第２の実施の形態によるテープの構成を示す略線的側面図である。
【図１０】第２の実施の形態において巻き径に偏りが生じた状態を示す略線図である。
【図１１】第３の実施の形態による一時保留部の構成を示す略線図である。
【図１２】第３の実施の形態によるテープの構成を示す略線的側面図である。
【図１３】従来の一時保留部の構成を示す略線図である。
【図１４】従来のテープの構成を示す略線図である。
【発明を実施するための形態】
【００１９】
以下、発明を実施するための形態（以下実施の形態とする）について、図面を用いて説明する。
【００２０】
［１．第１の実施の形態］
［１−１．現金自動預払機の全体構成］
図１に外観を示すように、現金自動預払機１は、箱状の筐体２を中心に構成されており、例えば金融機関等に設置され、顧客との間で入金取引や出金取引等の現金に関する取引を行うようになされている。
【００２１】
筐体２は、その前側に顧客が対峙した状態で紙幣ＢＬの投入やタッチパネルによる操作等をしやすい箇所、すなわち前面の上部から上面に渡る部分が斜めに切り落とされたような形状となっており、この部分に接客部３が設けられている。
【００２２】
接客部３は、顧客との間で現金や通帳等を直接やり取りすると共に、取引に関する情報の通知や操作指示の受付を行うようになされており、カード入出口４、入出金口５、操作表示部６、テンキー７、及びレシート発行口８が設けられている。
【００２３】
カード入出口４は、キャッシュカード等の各種カードが挿入または排出される部分である。カード入出口４の奥側には、各種カードに磁気記録された口座番号等の読み取りを行うカード処理部（図示せず）が設けられている。
【００２４】
入出金口５は、顧客が入金する紙幣ＢＬが投入されると共に、顧客へ出金する紙幣ＢＬが排出される部分である。また入出金口５は、シャッタを駆動することにより開放又は閉塞するようになされている。因みに紙幣ＢＬは、例えば長方形の紙で構成されている。
【００２５】
操作表示部６は、取引に際して操作画面を表示するＬＣＤ（Liquid Crystal Display）と、取引の種類の選択、暗証番号や取引金額等を入力するタッチパネルとが一体化されている。
【００２６】
テンキー７は、「０」〜「９」の数字等の入力を受け付ける物理キーであり、暗証番号や取引金額等の入力操作時に用いられるようになされている。
【００２７】
レシート発行口８は、取引処理の終了時に取引内容等を印字したレシートを発行する部分である。因みにレシート発行口８の奥側には、レシートに取引内容等を印字するレシート処理部（図示せず）が設けられている。
【００２８】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２９】
筐体２内には、現金自動預払機１全体を統括制御する主制御部９や、紙幣ＢＬに関する種々の処理を行う紙幣入出金機１０等が設けられている。
【００３０】
主制御部９は、図示しないＣＰＵ（Central Processing Unit）を中心に構成されており、図示しないＲＯＭやフラッシュメモリ等から所定のプログラムを読み出して実行することにより、入金取引や出金取引等の種々の処理を行うようになされている。
【００３１】
また主制御部９は、内部にＲＡＭ（Random Access Memory）、ハードディスクドライブやフラッシュメモリ等でなる記憶部９Ａを有しており、この記憶部９Ａに種々の情報を記憶させるようになされている。
【００３２】
因みに筐体２は、前面側やその後面側等の一部の側面が開閉可能な扉により構成されている。すなわち筐体２は、顧客との間で現金に関する取引を行う取引動作時には、図１に示したように各扉を閉塞することにより、紙幣入出金機１０内に収納している紙幣ＢＬを保護する。一方筐体２は、作業者等が保守作業を行う保守作業時には、必要に応じて各扉を開放することにより、内部の各部に対する作業を容易に行わせ得るようになされている。
【００３３】
紙幣入出金機１０は、図２に側面図を示すように、紙幣ＢＬに関する種々の処理を行う複数の部分が組み合わされた構成となっている。また紙幣入出金機１０の各部分は、紙幣制御部１１により制御されるようになされている。
【００３４】
紙幣制御部１１は、主制御部９と同様、図示しないＣＰＵを中心に構成されており、図示しないＲＯＭやフラッシュメモリ等から所定のプログラムを読み出して実行することにより、紙幣ＢＬの搬送先を決定する処理等、種々の処理を行うようになされている。
【００３５】
また紙幣制御部１１は、内部にＲＡＭ及びフラッシュメモリ等でなる記憶部１１Ａ（図１）を有しており、この記憶部１１Ａに種々の情報を記憶させるようになされている。
【００３６】
紙幣制御部１１は、例えば顧客が紙幣ＢＬを入金する入金取引を行う場合、操作表示部６を介して所定の操作入力を受け付けた後、入出金口５のシャッタを開いて入出金部１２内へ紙幣ＢＬを投入させる。
【００３７】
入出金部１２は、収容器１２Ａに紙幣ＢＬが投入されると、入出金口５のシャッタを閉じて当該収容器１２Ａから紙幣ＢＬを１枚ずつ取り出し、搬送部１３へ受け渡す。搬送部１３は、長方形の紙葉状に構成された紙幣ＢＬを短辺方向に沿って進行させ、鑑別部１４へ搬送する。
【００３８】
鑑別部１４は、その内部で紙幣ＢＬを搬送しながら、光学素子や磁気検出素子等を用いて当該紙幣ＢＬの金種及び真偽、並びに損傷の程度等を鑑別し、その鑑別結果を紙幣制御部１１へ通知する。これに応じて紙幣制御部１１は、取得した鑑別結果に基づいていて当該紙幣ＢＬの搬送先を決定する。
【００３９】
このとき搬送部１３は、鑑別部１４において正常紙幣と鑑別された紙幣ＢＬを一時保留部１５へ搬送する等して一時的に保留させる一方、取引すべきでないと鑑別されたリジェクト紙幣を入出金部１２へ搬送して顧客に返却する。
【００４０】
その後紙幣制御部１１は、操作表示部６を介して顧客に入金金額を確定させ、一時保留部１５に保留している紙幣ＢＬを搬送部１３により鑑別部１４へ搬送してその金種及び損傷の程度等を鑑別させ、その鑑別結果を取得する。
【００４１】
そして紙幣制御部１１は、紙幣ＢＬの損傷の程度が大きければ、これを再利用すべきでない紙幣ＢＬとして搬送部１３によりリジェクトカセット１６へ搬送して収納させ、損傷の程度が小さければ、これを再利用すべき紙幣ＢＬとして搬送部１３により搬送させ、その金種に応じた紙幣カセット１７に収納させるようになされている。
【００４２】
［１−２．一時保留部の構成］
一時保留部１５は、図３（Ａ）及び（Ｂ）に示すように、フレーム２０に各部品が取り付けられた構成となっている。
【００４３】
因みに図３（Ａ）及び（Ｂ）は、一時保留部１５の右側面図及び後面図をそれぞれ模式的に表したものであり、説明の都合上、モータやギヤ等といった一部の部品を省略している。
【００４４】
一時保留部１５は、制御部２１により全体を制御するようになされている。制御部２１は、主制御部９や紙幣制御部１１（図１）と同様、図示しないＣＰＵを中心に構成されており、当該紙幣制御部１１等と連携しながら、図示しないＲＯＭやフラッシュメモリ等から所定のプログラムを読み出して実行することにより、ドラムの回転やテープの走行に関する制御等、種々の処理を行うようになされている。
【００４５】
また制御部２１は、内部にＲＡＭ及びフラッシュメモリ等でなる記憶部を有しており、この記憶部に種々の情報を記憶させるようになされている。
【００４６】
一時保留部１５のフレーム２０内における中央付近には、円筒状のドラム２３が設けられている。ドラム２３は、左右方向に沿った回転軸２４を中心に巻取方向Ｒ１又は巻戻方向Ｒ２へ回転し得るように取り付けられると共に、制御部２１の制御に基づき、図示しないモータからの駆動力が伝達されるようになされている。
【００４７】
また一時保留部１５内には、左右のほぼ中央に、１系統のテープ走行系２７が設けられている。このテープ走行系２７では、通常テープとしての外テープ３０及び相違テープとしての内テープ４０の２本のテープを走行させるようになされている。
【００４８】
外テープ３０及び内テープ４０は、いずれも光の透過性が高い樹脂材料により、薄いフィルム状に形成されており、長手方向の長さが十分に長く、短手方向の長さ（すなわちテープ幅）が紙幣ＢＬの長辺よりも十分に短くなっている。
【００４９】
外リール３１は、糸巻き状に構成されており、ドラム２３の上側に、当該ドラム２３の回転軸２４と平行な回転軸３２を中心に回転するように設けられている。この外リール３１には、外テープ３０の一端が周側面に固定された上で、当該外テープ３０が巻回されている。
【００５０】
ドラム２３の前側には、プーリ３３が設けられている。プーリ３３は、円柱状に形成されると共にドラム２３の回転軸２４と平行なシャフト３４に挿通されており、当該シャフト３４を中心に自在に回転し得るようになされている。
【００５１】
外リール３１に巻回された外テープ３０は、その先端が当該外リール３１から前下方へ引き出され、プーリ３３を介して後方向へ折り返されるよう引き回されてから、ドラム２３の周側面に固定されている。
【００５２】
因みに外リール３１は、図示しないトルクリミッタにより、外テープ３０を巻き取る方向へ付勢されており、当該外テープ３０に対し常に所定の張力を持たせるようになされている。
【００５３】
一方、内リール４１は、外リール３１と同様の糸巻き状に構成されており、当該外リール３１の下方、すなわちドラム２３の下側に、当該ドラム２３の回転軸２４と平行な回転軸４２を中心に回転し得るように設けられている。この内リール４１には、内テープ４０の一端が周側面に固定された上で、当該内テープ４０が巻回されている。
【００５４】
因みに内リール４１における内テープ４０の巻回方向は、外リール３１における外テープ３０の巻回方向とは反対となっている。
【００５５】
内リール４１の前方且つプーリ３３の下方には、プーリ４３が設けられている。プーリ４３は、プーリ３３と同様の円柱状に形成されると共に、ドラム２３の回転軸２４と平行なシャフト４４に挿通されており、当該シャフト４４を中心に自在に回転し得るようになされている。
【００５６】
内リール４１に巻回された内テープ４０は、その他端が内リール４１から前上方へ引き出され、プーリ４３を介して後方向へ折り返されるよう引き回されてから、ドラム２３の周側面に固定されている。
【００５７】
因みに内リール４１は、外リール３１と同様、図示しないトルクリミッタにより、内テープ４０を巻き取る方向へ付勢されており、当該内テープ４０に対し常に所定の張力を持たせるようになされている。
【００５８】
かかる構成により一時保留部１５は、ドラム２３を巻取方向Ｒ１へ回転させると、その周側面に内テープ４０及び外テープ３０を重ねるようにして巻き付けていく。
【００５９】
このとき一時保留部１５は、内テープ４０と外テープ３０との間に紙幣ＢＬを挟んでいれば、当該内テープ４０及び外テープ３０共に当該紙幣ＢＬをドラム２３の周側面に巻き付けることができる。
【００６０】
このように一時保留部１５は、２本のテープ（外テープ３０及び内テープ４０）を走行させることにより、紙幣ＢＬをドラム２３の周側面に巻き付けるようになされている。
【００６１】
またテープ走行系２７には、外リール３１とプーリ３３との間で外テープ３０が渡されている位置、すなわち当該外テープ３０のうち外リール３１に巻回されている最外周部分の直近となる位置に、テープセンサ３５が配置されている。
【００６２】
テープセンサ３５は、外テープ３０を両面から挟むように、所定の波長でなる検出光を発光する発光部と当該検出光を受光する受光部とを対向させている。このテープセンサ３５は、発光部から検出光を発光し、この検出光のうち外テープ３０を透過した部分を受光部により受光してその明るさに応じた受光信号を生成し、これを制御部２１に送出するようになされている。
【００６３】
すなわちテープセンサ３５は、外テープ３０のうち検出光の照射箇所（以下これをテープ位置と呼ぶ）における検出光の透過率に応じた受光信号を制御部２１へ送出するようになされている。
【００６４】
制御部２１は、テープセンサ３５から取得した受光信号が所定のしきい値以上であれば「明」レベルと判別し、当該しきい値未満であれば「暗」レベルと判別するようになされている。すなわち、このとき制御部２１において得られた判別結果は、この時点でテープセンサ３５の位置にある外テープ３０の光透過率を、「明」レベル又は「暗」レベルに２値化した値となる。
【００６５】
またテープ走行系２７には、内リール４１とプーリ４３との間で内テープ４０が渡されている位置、すなわち当該内テープ４０のうち内リール４１に巻回されている最外周部分の直近に相当する位置に、テープセンサ３５と同様の構成でなる検出部としてのテープセンサ４５が配置されている。
【００６６】
これと対応するように、内テープ４０は、図４に示すように、従来の内テープ３４０と同様、内リール４１に固定される終端側の部分（以下これを終端部と呼ぶ）に遮光領域ＳＡが形成されている。
【００６７】
このためテープセンサ４５は、内テープ４０のテープ位置がドラム２３に固定される始端側の部分（以下これを始端部と呼ぶ）又は始端部若しくは終端部のいずれでもない部分（以下これを中間部と呼ぶ）であれば、検出光が透過されるため受光信号の信号レベルを高める。一方テープセンサ４５は、内テープ４０のテープ位置が終端部であれば、遮光領域ＳＡにより検出光が遮断されるため受光信号の信号レベルを低下させることになる。
【００６８】
因みに内テープ４０は、長手方向の長さが例えば３０［ｍ］のように十分に長い一方、短手方向の長さ（すなわちテープ幅）が例えば２０［ｍｍ］のように紙幣ＢＬの長辺よりも十分に短くなっている。
【００６９】
一方、外テープ３０は、従来の外テープ３３０と同様、始端部に、テープセンサ３５の検出光を遮断する遮光領域ＳＡが形成されている。
【００７０】
このため外テープ３０は、遮光領域ＳＡが形成されていない透明な部分では、テープセンサ３５の検出光を透過させる一方、当該遮光領域ＳＡではこの検出光を遮断する。
【００７１】
すなわちテープセンサ３５は、外テープ３０のテープ位置が中間部又は終端部であれば、検出光が透過されるため受光信号の信号レベルを高め、始端部であれば、遮光領域ＳＡにより検出光が遮断されるため受光信号の信号レベルを低下させることになる。
【００７２】
さらに外テープ３０は、内テープ４０と比較して、長手方向の長さ（以下これをテープ長と呼ぶ）が追加長ＬＥだけ長くなっている。この追加長ＬＥは、テープが絡まった場合の保守作業において、当該絡まった箇所を中心に切り詰められる際の一般的な長さ（以下これを切詰長ＬＣと呼ぶ）よりも長くなっており、例えば約１５０［ｍｍ］となっている。
【００７３】
かかる構成において一時保留部１５の制御部２１は、各テープ及び紙幣ＢＬをドラム２３に順次巻き取る際、図５に示すフローチャートに従い、当該ドラム２３の回転等を制御するようになされている。
【００７４】
すなわち一時保留部１５の制御部２１は、紙幣制御部１１（図２）等から紙幣ＢＬを内部に保留する指示を受け付けると、巻取処理手順ＲＴ１を開始してステップＳＰ１へ移る。
【００７５】
ステップＳＰ１において制御部２１は、ドラム２３を巻取方向Ｒ１に回転させ、次のステップＳＰ２に移る。因みに制御部２１は、図示しないステッピングモータを制御することにより、ドラム２３を所定角度ずつ回転させる。
【００７６】
ステップＳＰ２において制御部２１は、テープセンサ４５から受光信号を取得し、次のステップＳＰ３へ移る。
【００７７】
ステップＳＰ３において制御部２１は、取得した受光信号が「明」レベルか否かを判定する。ここで肯定結果が得られると、このことは内テープ４０が透明な領域であり、終端部がテープセンサ４５の位置に到達していないことを表している。すなわち一時保留部１５は、ドラム２３の巻取方向Ｒ１への回転を継続しても、各テープを損傷させる恐れがない。このため制御部２１は、再度ステップＳＰ１へ戻ってドラム２３の回転を継続させる。
【００７８】
一方、ステップＳＰ３において否定結果が得られると、このことは取得した受光信号が「暗」レベルであるため、遮光領域ＳＡが形成された終端部がテープセンサ４５の位置に到達したことを表している。すなわち一時保留部１５では、ドラム２３の巻取方向Ｒ１への回転を継続すると各テープを損傷させる恐れがある。このため制御部２１は、次のステップＳＰ４へ移る。
【００７９】
ステップＳＰ４において制御部２１は、ドラム２３の回転を停止させた後、次のステップＳＰ５へ移って巻取処理手順ＲＴ１を終了する。
【００８０】
因みに内テープ４０は、内リール４１に巻回された内テープ４０が全て引き出される前に当該遮光領域ＳＡがテープセンサ４５の位置に到達するよう、遮光領域ＳＡの終端からの長さが適切に定められている。
【００８１】
また一時保留部１５は、紙幣制御部１１（図２）等から内部に保留している紙幣ＢＬを外部へ排出する指示を受け付けると、巻戻処理手順ＲＴ２を開始してステップＳＰ１１へ移る。
【００８２】
ステップＳＰ１１において制御部２１は、ドラム２３を巻戻方向Ｒ２に回転させ、次のステップＳＰ１２に移る。ステップＳＰ１２において制御部２１は、テープセンサ３５から受光信号を取得し、次のステップＳＰ１３へ移る。
【００８３】
ステップＳＰ１３において制御部２１は、取得した受光信号が「明」レベルか否かを判定する。ここで肯定結果が得られると、このことは外テープ３０が透明な領域であり終端部がテープセンサ３５の位置に到達していないことを表している。すなわち一時保留部１５は、ドラム２３の巻戻方向Ｒ２への回転を継続しても、各テープを損傷させる恐れがない。このため制御部２１は、再度ステップＳＰ１１へ戻ってドラム２３の回転を継続させる。
【００８４】
一方、ステップＳＰ１３において否定結果が得られると、このことは取得した受光信号が「暗」レベルであるため、遮光領域ＳＡが形成された始端部がテープセンサ３５の位置に到達したことを表している。すなわち一時保留部１５では、ドラム２３の巻戻方向Ｒ２への回転を継続すると、各テープを損傷させる恐れがある。このため制御部２１は、次のステップＳＰ１４へ移る。
【００８５】
ステップＳＰ１４において制御部２１は、ドラム２３の回転を停止させた後、次のステップＳＰ１５へ移って巻戻処理手順ＲＴ２を終了する。
【００８６】
因みに外テープ３０は、ドラム２３の周側面に巻き付けられた外テープ３０が全て巻き戻される前に当該遮光領域ＳＡがテープセンサ３５の位置に到達するよう、遮光領域ＳＡにおける始端からの長さが適切に定められている。
【００８７】
［１−３．動作及び効果］
以上の構成において、第１の実施の形態による一時保留部１５は、外テープ３０の始端部に遮光領域ＳＡを設けてテープセンサ３５によりこれを検出すると共に、内テープ４０の終端部に遮光領域ＳＡを設けてテープセンサ４５によりこれを検出する。
【００８８】
このため一時保留部１５は、ドラム２３の巻取動作の際には、内テープ４０の遮光領域ＳＡを検出することによりテープ位置が終端部であると判別してその回転を停止させることができる。
【００８９】
また一時保留部１５は、ドラム２３の巻戻動作の際には、外テープ３０の遮光領域ＳＡを検出することによりテープ位置が始端部であると判別してその回転を停止させることができる。
【００９０】
ところで一時保留部１５は、折り癖や皺等を有する紙幣ＢＬが搬送時や巻取時に周囲の部品と干渉して詰まり等を生じ、これに起因して各テープが絡まり、或いは切断されてしまうことが生じ得る。また、保守作業中に保守作業者が誤ってテープを切断してしまう可能性も考えられる。
【００９１】
このとき一時保留部１５では、本来であれば新たなテープと交換されるが、新たなテープの入手に時間を要する場合等に、応急措置として、図７に示すように、テープの絡まった箇所が切り落とされる等して残りの部分が接合箇所ＣＰにおいて互いに接合されることにより、当該テープが切り詰められることがある。
【００９２】
この点において一時保留部１５は、外テープ３０のテープ長を、内テープ４０よりも追加長ＬＥだけ長く、すなわち切詰長ＬＣよりも十分に長く構成した。
【００９３】
このため一時保留部１５では、図７に示したように、仮に外テープ３０に障害が発生する等して切詰長ＬＣだけ切り詰められたとしても、当該外テープ３０を内テープ４０よりも長い状態に維持することができる。
【００９４】
また一時保留部１５では、仮に内テープ４０が切詰長ＬＣだけ切り詰められたとしても、当然のことながら、外テープ３０を当該内テープ４０よりも長い状態に維持することができる。
【００９５】
これにより一時保留部１５では、外テープ３０又は内テープ４０のいずれが切り詰められた状態で巻取動作を行ったとしても、外テープ３０が終端部に到達する前に、テープセンサ４５により内テープ４０の遮光領域ＳＡを検出してドラム２３の回転を停止させることができるので、いずれのテープにも過大な張力を加えて損傷させる恐れが無い。
【００９６】
因みに現金自動預払機１の保守業務においては、応急措置として外テープ３０又は内テープ４０を切り詰めた場合、比較的早期に（例えば翌日に）新たなテープと交換することになる。すなわち、外テープ３０又は内テープ４０に対する切り詰め作業は、多くとも１回行われるに過ぎない。
【００９７】
このため外テープ３０Ａは、追加長ＬＥが１回分の切詰長ＬＣよりも十分に長くなされるだけで、切詰作業に対する準備を十分なものとすることができる。
【００９８】
さらに一時保留部１５は、従来の一時保留部３１５と比較して、外テープ３０を延長するだけで良いため、テープセンサや遮光領域の追加に伴う部品の増加や製造工程の複雑化、コストの上昇等を極めて僅かに抑えることができる。
【００９９】
以上の構成によれば、第１の実施の形態による一時保留部１５は、内テープ４０の終端部に設けた遮光領域ＳＡをテープセンサ４５によって検出することにより、ドラム２３の巻取動作中にテープ位置が終端部であると判別してその回転を停止させる。さらに一時保留部１５は、外テープ３０のテープ長を、内テープ４０よりも追加長ＬＥだけ長く構成したことにより、外テープ３０に対し切詰作業が行われたとしても、当該外テープ３０が内テープ４０よりも長い状態を維持することができる。このため一時保留部１５は、外テープ３０が終端部に到達する前に、テープセンサ４５により内テープ４０の遮光領域ＳＡを検出してドラム２３の回転を停止させることができ、各テープに過大な張力が加えられることによる損傷を未然に防止することができる。
【０１００】
［２．第２の実施の形態］
第２の実施の形態による現金自動預払機１０１（図１）は、第１の実施の形態による現金自動預払機１と比較して、一時保留部１５に代わる一時保留部１１５を有する点が相違するものの、他の部分については同様に構成されている。
【０１０１】
［２−１．一時保留部の構成］
一時保留部１１５は、図３と対応する図８に示すように、第１の実施の形態におけるテープ走行系２７がドラム２３に対し右寄りに配置されると共に、当該テープ走行系２７と一部同様に構成されたテープ走行系１２７がドラム２３に対し左寄りに配置されている。すなわち一時保留部１１５には、２系統のテープ走行系２７及び１２７が設けられている。
【０１０２】
テープ走行系１２７は、テープ走行系２７の外テープ３０、外リール３１、プーリ３３、内テープ４０、内リール４１及びプーリ４３とそれぞれ対応する外テープ１３０、外リール１３１、プーリ１３３、内テープ１４０、内リール１４１及びプーリ１４３を有している。
【０１０３】
このうち外リール１３１、プーリ１３３、内リール１４１及びプーリ１４３については、それぞれ外リール３１、プーリ３３、内リール４１及びプーリ４３と同様に構成されているため、その説明を省略する。
【０１０４】
外テープ１３０及び内テープ１４０は、図９に示すように、いずれも遮光領域ＳＡが形成されておらず、且つテープ長が内テープ４０よりも追加長ＬＥ２だけ長くなっている。
【０１０５】
ここで追加長ＬＥ２について説明する前に、ドラム２３の周側面に紙幣ＢＬを巻き付けたときの見かけ上の外径（以下これを巻き径と呼ぶ）について説明する。
【０１０６】
一時保留部１１５では、皺や折り癖等がある紙幣ＢＬをドラム２３に巻き付けた場合、平坦な紙幣ＢＬを巻き付けた場合と比較して、ドラム２３の周側面に巻き付けられた紙幣ＢＬを含む見かけ上の外径（以下これを巻き径と呼ぶ）が増加し、いわば膨らんだ状態となる。
【０１０７】
特に一時保留部１１５は、紙幣ＢＬの長手方向における一方に皺や折り癖等が偏った場合、図１０に示すように、ドラムの巻き径（膨らみ）も偏り、ドラムに巻き付いているテープの長さがテープ走行系ごとに相違する。
【０１０８】
ここで、図１０に示したようにテープ走行系１２７側におけるドラム２３の巻き径がテープ走行系２７側よりも大きい場合、その巻き径の差に応じて、外テープ３０及び内テープ４０のドラム２３に巻き付いている長さ（以下これを巻付長と呼ぶ）が、外テープ１３０及び内テープ１４０の巻付長よりも巻付差長ＬＲだけ長くなる。
【０１０９】
具体的には、例えば一時保留部１１５における最大収納枚数の紙幣ＢＬをドラム２３に巻き付けたとき、テープ走行系２７側の巻き径を１０６［ｍｍ］、テープ走行系１２７側の巻き径を１１４［ｍｍ］とすると、詳細な計算式については省略するが、それぞれの巻付長が約２９［ｍ］及び約３２［ｍ］となり、巻付差長ＬＲが約３［ｍ］となる。
【０１１０】
またこの巻付差長ＬＲは、第１の実施の形態において説明した切詰長ＬＣ（約１５０［ｍｍ］）よりも十分に長くなっている。
【０１１１】
そこで一時保留部１１５では、追加長ＬＥ２を巻付差長ＬＲよりも、すなわち切詰長ＬＣよりも十分に長い値とし、外テープ１３０及び内テープ１４０の長さを、内テープ４０よりも当該追加長ＬＥ２だけ長くした。
【０１１２】
因みにテープ走行系１２７には、テープセンサ３５及び４５に相当するテープセンサは設けられていない。
【０１１３】
また一時保留部１１５は、第１の実施の形態と同様、巻取処理手順ＲＴ１及び巻戻処理手順ＲＴ２に従って巻取動作及び巻戻動作を実行するようになされている。
【０１１４】
このように一時保留部１１５では、終端部に遮光領域ＳＡが形成されていない外テープ３０及び１３０並びに内テープ１４０のテープ長が、終端部に遮光領域ＳＡが形成された内テープ４０よりも、それぞれ追加長ＬＥだけ長くなっており、テープセンサ４５によって当該遮光領域ＳＡを検出することにより、テープ位置を終端部と判別するようになされている。
【０１１５】
［２−２．動作及び効果］
以上の構成において、第２の実施の形態による一時保留部１１５は、第１の実施の形態と同様、外テープ３０の始端部に遮光領域ＳＡを設けてテープセンサ３５によりこれを検出すると共に、内テープ４０の終端部に遮光領域ＳＡを設けてテープセンサ４５によりこれを検出する。
【０１１６】
このため一時保留部１１５は、第１の実施の形態と同様、ドラム２３の巻取動作の際には、内テープ４０の遮光領域ＳＡを検出することによりテープ位置が終端部であると判別してその回転を停止させることができる。
【０１１７】
また一時保留部１１５は、終端部に遮光領域ＳＡが形成されていない外テープ１３０並びに内テープ１４０のテープ長を、終端部に遮光領域ＳＡが形成されている内テープ４０よりも追加長ＬＥ２だけ長く、すなわち巻付差長ＬＲよりも十分に長く構成した。
【０１１８】
このため一時保留部１１５では、テープ走行系１２７側の巻き径がテープ走行系２７側の巻き径よりも大きくなった場合にも（図１０）、テープ走行系１２７側の外テープ１３０及び内テープ１４０が終端部に到達する前に、テープ走行系２７のテープセンサ４５により内テープ４０の遮光領域ＳＡを検出することができ、ドラム２３の回転を確実に停止させることができる。
【０１１９】
また一時保留部１１５は、終端部に遮光領域ＳＡが形成されていない外テープ３０のテープ長を、終端部に遮光領域ＳＡが形成されている内テープ４０よりも追加長ＬＥだけ長く構成し、また外テープ１３０並びに内テープ１４０のテープ長を、内テープ４０よりも追加長ＬＥ２だけ長く構成した。すなわち一時保留部１１５では、外テープ３０及び１３０並びに内テープ１４０のテープ長を、内テープ４０と比較して、切詰長ＬＣよりも十分に長く構成した。
【０１２０】
このため一時保留部１１５では、仮に外テープ３０若しくは１３０又は内テープ１４０に障害が発生する等して切詰長ＬＣだけ切り詰められたとしても、当該外テープ３０及び１３０並びに内テープ１４０のいずれもを内テープ４０よりも長い状態に維持することができる。
【０１２１】
また一時保留部１１５では、仮に内テープ４０が切詰長ＬＣだけ切り詰められたとしても、当然のことながら、外テープ３０及び１３０並びに内テープ１４０を当該内テープ４０よりも長い状態に維持することができる。
【０１２２】
これにより一時保留部１１５では、外テープ３０若しくは１３０又は内テープ４０若しくは１４０のいずれが切り詰められた状態で巻取動作を行ったとしても、外テープ３０及び１３０並びに内テープ１４０が終端部に到達する前に、テープセンサ４５により内テープ４０の遮光領域ＳＡを検出してドラム２３の回転を停止させることができるので、いずれのテープにも過大な張力を加えて損傷させる恐れが無い。
【０１２３】
このように一時保留部１１５では、巻き径の偏りが発生し、或いはテープの切詰作業が行われたとしても、巻取動作において各テープが終端部に到達する前にドラム２３の回転を停止させることができるので、各テープに過大な張力が加わることによる動作異常や損傷の発生を未然に防止でき、安定的に稼働することができる。
【０１２４】
さらに一時保留部１１５は、第１の実施の形態と比較して、増設するテープ走行系１２７にテープセンサを設ける必要が無く、また外テープ１３０及び内テープ１４０に遮光領域ＳＡを形成する必要もないため、構成の変更に伴う部品の増加や製造工程の複雑化、或いはこれらに伴う製造コストの上昇等を最小限に止めることができる。
【０１２５】
また一時保留部１１５は、その他の点においても、第１の実施の形態による一時保留部１５と同様の作用効果を奏し得る。
【０１２６】
以上の構成によれば、第２の実施の形態による一時保留部１１５は、内テープ４０の終端部に設けた遮光領域ＳＡをテープセンサ４５によって検出することにより、ドラム２３の巻取動作中にテープ位置が終端部であると判別してその回転を停止させる。さらに一時保留部１１５は、外テープ１３０及び内テープ１４０のテープ長を、内テープ４０よりも追加長ＬＥ２だけ長く構成したことにより、ドラム２３の巻き径に偏りが生じたとしても、或いはいずれのテープが切り詰められたとしても、これらのテープが終端部に到達する前に、テープセンサ４５により内テープ４０の遮光領域ＳＡを検出してドラム２３の回転を停止させることができ、各テープに過大な張力が加えられることによる損傷を未然に防止することができる。
【０１２７】
［３．第３の実施の形態］
第３の実施の形態による現金自動預払機２０１（図１）は、第１の実施の形態による現金自動預払機１と比較して、一時保留部１５に代わる一時保留部２１５を有する点が相違するものの、他の部分については同様に構成されている。
【０１２８】
［３−１．一時保留部の構成］
一時保留部２１５は、図３と対応する図１１に示すように、第１の実施の形態におけるテープ走行系２７がドラム２３に対し右寄りに配置されると共に、当該テープ走行系２７と一部同様に構成されたテープ走行系２２７がドラム２３に対し左寄りに配置されている。すなわち一時保留部２１５には、２系統のテープ走行系２７及び２２７が設けられている。
【０１２９】
テープ走行系２２７は、テープ走行系２７の外テープ３０、外リール３１、プーリ３３、内テープ４０、内リール４１、プーリ４３及びテープセンサ４５とそれぞれ対応する外テープ２３０、外リール２３１、プーリ２３３、内テープ２４０、内リール２４１、プーリ２４３及びテープセンサ２４５を有している。
【０１３０】
このうち外リール２３１、プーリ２３３、内リール２４１、プーリ２４３及びテープセンサ２４５については、それぞれ外リール３１、プーリ３３、内リール４１、プーリ４３及びテープセンサ４５と同様に構成されているため、その説明を省略する。
【０１３１】
外テープ２３０及び内テープ２４０は、図１２に示すように、それぞれ外テープ３０及び内テープ４０と同様に構成されている。すなわち終端部に遮光領域ＳＡが形成されていない外テープ２３０は、終端部に遮光領域ＳＡが形成された内テープ２４０よりも追加長ＬＥだけ長く構成されている。
【０１３２】
因みに一時保留部２１５の制御部２２１は、制御部２１と同様、巻取処理手順ＲＴ１及び巻戻処理手順ＲＴ２を実行するものの、巻取処理手順ＲＴ１のステップＳＰ２ではテープセンサ４５及び２４５の双方から受光信号を取得し、ステップＳＰ３では全ての受光信号が「明」レベルであるか否かを判定するようになされている。
【０１３３】
このように一時保留部２１５は、テープ走行系２２７において、終端部に遮光領域ＳＡが形成された内テープ２４０と、終端部に遮光領域ＳＡが形成されておらず内テープ２４０よりも追加長ＬＥだけ長い外テープ２３０とを有している。
【０１３４】
［３−２．動作及び効果］
以上の構成において、第３の実施の形態による一時保留部２１５は、外テープ３０の始端部に遮光領域ＳＡを設けてテープセンサ３５によりこれを検出すると共に、内テープ４０及び２４０の終端部に遮光領域ＳＡをそれぞれ設けてテープセンサ４５及び２４５によりこれらを検出する。
【０１３５】
このため一時保留部２１５は、ドラム２３の巻取動作の際には、内テープ４０又は２４０の遮光領域ＳＡを検出することによりテープ位置が終端部であると判別してその回転を停止させることができる。
【０１３６】
また一時保留部２１５は、終端部に遮光領域ＳＡが形成されていない外テープ２３０のテープ長を、外テープ３０と同様、内テープ終端部に遮光領域ＳＡが形成されている内テープ４０及び２４０よりも追加長ＬＥだけ長く、すなわち切詰長ＬＣよりも十分に長く構成した。
【０１３７】
このため一時保留部２１５では、外テープ３０又は２３０に障害が発生する等して切詰長ＬＣだけ切り詰められたとしても、当該外テープ３０又は２３０を内テープ４０及び２４０よりも長い状態に維持することができる。
【０１３８】
因みに一時保留部２１５では、仮に内テープ４０又は２４０が切詰長ＬＣだけ切り詰められたとしても、当然のことながら、外テープ３０及び２３０を当該内テープ４０又は２４０よりも長い状態に維持することができる。
【０１３９】
これにより一時保留部２１５では、外テープ３０若しくは２３０又は内テープ４０若しくは２４０のいずれが切り詰められた状態で巻取動作を行ったとしても、外テープ３０又は２３０が終端部に到達する前に、テープセンサ４５又は２４５により内テープ４０又は２４０の遮光領域ＳＡを検出してドラム２３の回転を停止させることができるので、いずれのテープにも過大な張力を加えて損傷させる恐れが無い。
【０１４０】
さらに一時保留部２１５は、テープ走行系２７側の内テープ４０に加えて、テープ走行系２２７側の内テープ２４０についても、終端部に遮光領域ＳＡを設けてテープセンサ４５及び２４５によりそれぞれを検出するようにした。
【０１４１】
このため一時保留部２１５では、図１０に示した場合と同様に、テープ走行系２７側又は２２７側のうち一方の巻き径が他方よりも大きくなった場合にも、巻き径が大きい側のテープセンサ４５又は２４５により内テープ４０又は２４０の遮光領域ＳＡを先に検出できるので、ドラム２３の回転を確実に停止させることができ、いずれのテープにも過大な張力を加えることがない。
【０１４２】
また一時保留部２１５は、その他の点においても、第１の実施の形態による一時保留部１５と同様の作用効果を奏し得る。
【０１４３】
以上の構成によれば、第３の実施の形態による一時保留部２１５は、内テープ４０及び２４０の終端部に設けた遮光領域ＳＡをテープセンサ４５及び２４５によって検出することにより、巻き径の偏りが発生した場合も含めて、ドラム２３の巻取動作中にテープ位置が終端部であると判別してその回転を停止させる。さらに一時保留部２１５は、外テープ３０及び１３０のテープ長を、内テープ４０及び２４０よりも追加長ＬＥだけ長く構成したことにより、いずれのテープが切り詰められたとしても、テープセンサ４５又は２４５により内テープ４０又は２４０の遮光領域ＳＡを検出してドラム２３の回転を停止させることができるので、各テープに過大な張力が加えられることによる損傷を未然に防止することができる。
【０１４４】
［４．他の実施の形態］
なお上述した第１の実施の形態においては、外テープ３０により始端部を検出し、内テープ４０により終端部を検出するようにした場合について述べた。
【０１４５】
しかしながら本発明はこれに限らず、例えば内テープ４０により始端部を検出し、外テープ３０により終端部を検出するようにしても良い。第２及び第３の実施の形態についても同様である。
【０１４６】
また上述した第２実施の形態においては、外テープ３０のみ、すなわち１本のテープのみの始端部に遮光領域ＳＡを設けるようにした場合について述べた。
【０１４７】
しかしながら本発明はこれに限らず、例えば外テープ１３０の始端部にも遮光領域ＳＡを設けるなど、２本以上のテープにおける始端部に遮光領域ＳＡを設けるようにしても良い。第３の実施の形態についても同様である。
【０１４８】
さらに上述した第１の実施の形態においては、テープセンサから得られる受光信号を基に、巻取動作中にテープ位置が終端部に到達したか否か、及び巻戻動作中にテープ位置が始端部に到達したか否かをそれぞれ判別するようにした場合について述べた。
【０１４９】
しかしながら本発明はこれに限らず、例えば他の手法によりテープ位置が始端部にあるか否かを検出できる場合に、テープセンサから得られる受光信号を基に、テープ位置が終端部に到達したか否かのみを判別するようにしても良い。第２及び第３の実施の形態についても同様である。
【０１５０】
さらに上述した第１の実施の形態においては、１本のテープについて切詰作業は多くとも１回までしか行われないことを前提に、追加長ＬＥを１回の切詰作業による切詰長ＬＣよりも十分に長くするようにした場合について述べた。
【０１５１】
しかしながら本発明はこれに限らず、例えば１本のテープについて切詰作業が多きときには３回まで行われる可能性がある場合に、追加長ＬＥを３回の切詰作業に相当する「切詰長ＬＣの３倍」よりも十分に長くするようにしても良い。第２及び第３の実施の形態についても同様である。
【０１５２】
さらに上述した第２の実施の形態においては、切詰長ＬＣよりも巻付差長ＬＲの方が長い場合に、追加長ＬＥ２を巻付差長ＬＲよりも長い値とし、外テープ１３０及び内テープ１４０の長さを、内テープ４０よりも当該追加長ＬＥ２だけ長くするようにした場合について述べた。
【０１５３】
しかしながら本発明はこれに限らず、例えば巻付差長ＬＲよりも切詰長ＬＣの方が長い場合に、外テープ１３０及び内テープ１４０の長さを、内テープ４０よりも追加長ＬＥだけ長く、すなわち外テープ３０と同等の長さとするようにしても良い。要は、外テープ１３０及び内テープ１４０の長さを、切詰長ＬＣ又は巻付差長ＬＲのいずれか長い方よりも十分に長くすることにより、テープの切詰作業が行われた際や巻き径の偏りが生じた際のいずれにも対処できるようにすれば良い。
【０１５４】
さらに上述した第２の実施の形態においては、一時保留部１１５に２系統のテープ走行系を設けるようにした場合について述べた。
【０１５５】
しかしながら本発明はこれに限らず、一時保留部１１５に３系統以上のテープ走行系を設けることにより、ドラム２３に対する紙幣ＢＬの巻付をより安定化させるようにしても良い。第３の実施の形態についても同様である。
【０１５６】
さらに上述した第１の実施の形態においては、各テープを全体的に透明な材料により構成して検出光を透過させる一方、一部の始端部及び終端部に検出光を遮断する遮光領域ＳＡを設け、各テープセンサにより検出光の光透過率を検出するようにした場合について述べた。
【０１５７】
しかしながら本発明はこれに限らず、例えば各テープの始端部及び終端部に検出光を反射する反射領域を設けてテープセンサにより検出光の反射光を受光するようにしても良く、或いは各テープを遮光性を有する材料により構成し、始端部や終端部に光を透過させる透光領域を適宜設けるようにしても良い。
【０１５８】
または、例えば各テープを全体的に非磁性体により構成すると共に、一部の始端部及び終端部に磁気を帯びた領域を形成し、磁気センサにより磁気の有無を検出するようにしても良い。すなわち本発明は、各テープにおける一部の始端部及び終端部に、当該テープ全体と物理的特性が異なる領域を設け、所定のセンサによりこの物理的特性の相違を検出するようにしても良い。第２及び第３の実施の形態についても同様である。
【０１５９】
さらに上述した第１の実施の形態においては、金融機関等において顧客との間で現金に関する取引を行う現金自動預払機１の一時保留部１５において、媒体としての紙幣ＢＬを保留するようにした場合について述べた。
【０１６０】
しかしながら本発明はこれに限らず、例えば金融機関等において職員が現金に関する各種処理を行うための出納システムに組み込まれる一時保留部に適用するようにしても良く、或いは商品券や金券、入場券等のような紙葉状の媒体を保留する種々の装置に適用するようにしても良い。第２及び第３の実施の形態についても同様である。
【０１６１】
さらに上述した第１の実施の形態においては、ドラムとしてのドラム２３と、相違テープとしての内テープ４０と、通常テープとしての外テープ３０と、検出部としてのテープセンサ４５と、制御部としての制御部２１とによって媒体処理装置としての一時保留部１５を構成する場合について述べた。
【０１６２】
しかしながら本発明はこれに限らず、その他種々の構成でなるドラムと、相違テープと、通常テープと、検出部と、制御部とによって媒体処理装置を構成するようにしても良い。
【産業上の利用可能性】
【０１６３】
本発明は、紙幣等の紙状の媒体をテープと共にドラムに巻き付けて一時的に保留する種々の装置でも利用できる。
【符号の説明】
【０１６４】
１、１０１、２０１……現金自動預払機、１５、１１５、２１５……一時保留部、２１……制御部、２３……ドラム、３０、１３０、２３０……外テープ、３１、１３１、２３１……外リール、３５、４５、２４５……テープセンサ、４０、１４０、２４０……内テープ、４１、１４１、２４１……内リール、ＢＬ……紙幣、ＳＡ……遮光領域、ＬＥ、ＬＥ２……追加長、ＬＣ……切詰長、ＬＲ……巻付差長。
【図１】
0005761094.tif 000002
【図２】
0005761094.tif 000003
【図３】
0005761094.tif 000004
【図４】
0005761094.tif 000005
【図５】
0005761094.tif 000006
【図６】
0005761094.tif 000007
【図７】
0005761094.tif 000008
【図８】
0005761094.tif 000009
【図９】
0005761094.tif 000010
【図１０】
0005761094.tif 000011
【図１１】
0005761094.tif 000012
【図１２】
0005761094.tif 000013
【図１３】
0005761094.tif 000014
【図１４】
0005761094.tif 000015